(57)【特許請求の範囲】
【請求項１】
軸筒内に、複数の筆記体を配設し、軸筒後端部に軸心方向に沿って延びる摺動溝を径方向に区画して有する摺動ケースを一体または付設し、各筆記体の後部に連接した摺動体を、該摺動体に形成した隆起部を各摺動溝の外部に開口した切り欠き部より摺動ケース外周面に突出させて、摺動溝に摺動自在に収納してなり、前記摺動体を軸筒先端方向にスライドすることにより、摺動体の後端部に形成した係合突起を摺動ケースに形成した係止部に係止して筆記体の突出状態を維持するスライド式の複合筆記具において、前記切り欠き部の横幅及び摺動溝の横幅より摺動体の横幅を小さく設定するとともに、各摺動溝の側壁面に、摺動体が乗り越し可能で、かつ配設後、摺動体が、摺動ケース外方へ移動する際に摺動体に衝接する凸部を形成したことを特徴とするスライド式の複合筆記具
【請求項２】
前記凸部が、少なくとも摺動体の外方側を傾斜状とした凸部を形成したことを特徴とする請求項１に記載のスライド式の複合筆記具
【請求項３】
前記凸部が、前記係止部近傍にのみ形成したことを特徴とする請求項１ないし２に記載のスライド式の複合筆記具。
【発明の詳細な説明】
【０００１】
【発明の属する技術分野】
本発明は、軸筒内に、複数の筆記体を配設してなるスライド式の複合筆記具に関にする。
【０００２】
【従来技術】
従来から、スライド式の複合筆記具として、図１、２に示すように、一方の摺動体８を軸筒先端２ａ方向にスライドすることにより、摺動体８の後端部に形成した係合突起８ｂを摺動ケースに形成した係止部１０に係止して、筆記体の筆記先端部４ａを軸筒先端２ａ開口部から突出することができ、他方の摺動体９の隆起部９ａを軸筒先端方向に前進せしめることで、係止部１０に係止していた係合突起８ｂを他方の解除突起９ｃが解除し、さらに他方の摺動体９を前進することにより他方の係止部９ｂが係止部１０に係止して突出状態を維持する、筆記先端部を選択して操り出し可能な繰り出し機構を有する、ボールペンレフィールやシャープペンシル体等、複数の筆記体を軸筒内部に収容した構造のスライド式の複合筆記具は良く知られている。
【０００３】
こうしたスライド式の複合筆記具は、例えば、一方の筆記体の突出維持状態を他方の摺動体によって解除する際等、摺動体に摺動ケースの外方へ移動あるいは外方への力が加わった場合、摺動体の後部が摺動溝より外方に飛び出してしまうことがあり、結果として作動不良を起こす場合があった。この飛び出し防止として、切り欠き部の横幅より、摺動体の横幅を大きく設定したものは提案されている。
【０００４】
【発明が解決しようとする課題】
しかしながら、切り欠き部の横幅より、摺動体の横幅を大きく設定する構成は、組立を考慮した場合、摺動ケースの内側から摺動体を挿入し、摺動体の隆起部を切り欠き部から突出させる構造であるため、組立作業が煩雑であった。特に低価格品については、組立時における作業量を削減するために、摺動体を切り欠き部から直接摺動溝内へ組込めるようにすることが望まれている。
【０００５】
また、特開平９−３９４８３号公報「シャープペンシル体を含む多芯筆記具」に開示されているように、摺動体の後部に係合突起を設け、係合突起が軸筒後部の貫通孔に係合することによって摺動体が外方に飛び出さない構造としているが、この構造は、筆記体が筆記状態から没入状態に移行する時に、つまり、摺動体の後退時や筆記体の没入時に効果を奏するものであり、前述の摺動体の前進移動する際や突出状態の解除時の飛び出しを防止するには至っていない。
【０００６】
本発明の目的は、上述した従来の問題点に鑑み、摺動体を切り欠き部から直接摺動溝内へ組込めるようにして組立が容易にするとともに、摺動体の外方へ飛び出しにくい、スライド式の複合筆記具を提供することである。
【０００７】
【課題を解決するための手段】
本発明は、軸筒内に、複数の筆記体を配設し、軸筒後端部に軸心方向に沿って延びる摺動溝を径方向に区画して有する摺動ケースを一体または付設し、各筆記体の後部に連接した摺動体を、該摺動体に形成した隆起部を各摺動溝の外部に開口した切り欠き部より摺動ケース外周面に突出させて、摺動溝に摺動自在に収納してなり、前記摺動体を軸筒先端方向にスライドすることにより、摺動体の後端部に形成した係合突起を摺動ケースに形成した係止部に係止して筆記体の突出状態を維持するスライド式の複合筆記具において、前記切り欠き部の横幅及び摺動溝の横幅より摺動体の横幅を小さく設定するとともに、各摺動溝の側壁面に、摺動体が乗り越し可能で、かつ配設後、摺動体が、摺動ケース外方へ移動する際に摺動体に衝接する凸部を形成したことを特徴とする。
【０００８】
また、前記凸部が、少なくとも摺動体の外方側を傾斜状に形成したことを特徴とする。
【０００９】
前記凸部が、前記係止部近傍にのみ形成したことを特徴とする。
【００１０】
【発明の実施の形態】
以下、図面を参照して本発明の実施の形態を説明する。尚、図面中同じ部材、同じ部品については同じ番号を付してある。
実施例１
図１から図８に示す、複合筆記具１は、軸筒２の後端に付設した摺動ケース３に、径方向で区画した摺動溝を形成し、軸筒内及び収納室にボールペン体４及びシャープペンシル体５と、もう一本のボールペン体１６を、弾発部材６，７をバネ受け１７により後方に付勢させ摺動可能に配設し、各筆記体の後端に取り付けられている摺動体８，９の隆起部８ａ，９ａを切り欠き部より突出した状態で収納し、摺動体の一方の隆起部８ａを軸筒先端２ａ方向に前進せしめることで、摺動体８の後端部の係合突起８ｂが軸筒内に形成した係止部１０に係止して、ボールペン体のチップ先端部４ａを軸筒先端２ａ開口部から選択して突出することができ、他方の摺動体９の隆起部９ａを軸筒先端２ａ方向に前進せしめることで、一方の係止部１０に係止していた係合突起８ｂを他方の解除突起９ｃが解除し、さらに他方の摺動体９を前進することにより他方の係合突起９ｂが被係止部１０に係止して筆記先端部５ａの突出状態を維持することができる、一般的に知られているスライド式の複合筆記具１である。尚、本実施の形態の具体例として、ボールペン体４と摺動体８との連結は、摺動体８の前方に形成した連接部８ｄをボールペン体４の後端開口部（図示せず）に圧入装着した構造である。他の筆記体についても同様にして摺動体を連接している。
【００１１】
前記した複合筆記具１は、摺動体８を連接したボールペン体４を、摺動ケース３に形成した摺動溝１１に筆記先端部４ａ側から収納し、次に摺動体８を摺動ケース３の側面から摺動溝１１内へ直接組込んで（図９の矢印Ｆ方向）、スプリング７をスプリング受け１７に当接させ、摺動ケース３の後端方向に付勢して摺動自在に収納する。同様にして、他の筆記体４、摺動体９と、もう一本のボールペン体１６、摺動体１９を収納する。その後、軸筒２の後端２ｂ開口部に、筆記体を収納した摺動ケース３を付設して作製してある。摺動ケース後端には尾冠１８を嵌着してある。
【００１２】
この時、摺動溝１１の横幅Ｌより摺動体８の横幅Ｍを小さく設定（Ｌ＞Ｍ）するとともに、摺動溝１１の側壁面に、摺動体を軸筒側面から直接配設する際には乗り越し可能なアンダーカット（凸部）１２を、配設後、摺動体が軸方向へ摺動する際には衝接せず、摺動体が外方へ移動した際に、アンダーカットに衝接する位置に設定することが肝要であり、凸部の内幅Ｎを摺動体の横幅Ｍより小さく設定（Ｍ＞Ｎ）する。また、図９に示すように、アンダーカット１２の摺動ケース外方側１２ａをテーパー状やＲ状等、傾斜状に形成することにより、摺動体を軸筒側面から容易に配設することができる。
【００１３】
実施例２
図１０は、凸部の別例を示すもので、摺動ケース２２の摺動溝２３の側壁面に凸部２４を、適宜間隔を空けて数箇所設けた以外は、実施例１と同様である。凸部２４を摺動溝２３に軸方向に連続して形成したものに比べ、摺動体（図示せず）を摺動ケース側面から直接、摺動溝２３内へ組込む際の抵抗が小さくなるので、組立作業が容易になる。
【００１４】
実施例３，４
図１１，１２は、凸部の別例を示すもので、摺動ケース３２，４２摺動溝３３，４３の側壁面でかつ凸部３４，４４を係止部３５，４５近傍にのみ設けた以外は、実施例１と同様である。本発明者が摺動体の飛出しについて鋭意研究した結果、隆起部を爪などで掴んで引っ張ったりする等、外力が掛からなければ、筆記体の突出状態を解除した際に摺動ケース外方へ移動し、この移動によって飛び出しを起こし易いことが分かった。そのため、少なくとも係止部３５，４５近傍にのみ凸部３４，４４を形成することが効果的である。また、実施例２と同様に凸部を摺動溝に軸方向に連続して形成したものに比べ、摺動体を軸筒側面から直接摺動溝内へ組込む際の抵抗が小さくなるので、組立作業が容易になる。
【００１５】
尚、本発明は、摺動ケースを軸筒後端に一体または付設のどちらでもよいが、摺動ケースを軸筒と一体に形成する場合、切り欠き部は摺動体の作動不良を防止するため、摺動体の移動可能な部分にのみ形成しているので、筆記体及び摺動体を軸筒側面から直接配設し難い。一方、摺動ケースを軸筒後端に付設する構造は、切り欠き部を摺動体の移動可能部より軸方向に長くすることが可能であり、前述したように、筆記体を摺動ケースに収納してから、軸筒に付設することができるので組立作業が容易である。さらに、付設した際に、摺動体の移動可能な部分以外の切り欠き部を軸筒内に潜り込ませることにより作動不良を起こすことはない。
【００１６】
また、本発明のスライド式の複合筆記具は、前述したシャープペンシルとボールペンの複合筆記具に限定されるものではなく、ボールペン３本や４本、あるいはシャープペンシル３本など、複数の筆記体を適宜選択して用いることができる。また、筆記体に摺動体を連接する構造は特に限定されない。
【００１７】
【発明の効果】
以上の通り、本発明による複合筆記具は、摺動体を切り欠き部から直接摺動溝内へ組込めるようにして組立が容易にするとともに、摺動体の外方へ飛び出しにくい、スライド式の複合筆記具を提供することができた。
【図面の簡単な説明】
【図１】本発明の第一の実施例における複合筆記具を示す縦断面図である。
【図２】図１における要部拡大断面図である。
【図３】図１における筆記体を配設した摺動体を示した図である。
【図４】摺動ケースを示す断面図である。
【図５】図１におけるＡ−Ａ拡大断面図である。
【図６】図３におけるＢ−Ｂ拡大断面図である。
【図７】摺動体の側面図である。
【図８】図７におけるＣ−Ｃ拡大断面図である。
【図９】摺動体の組立工程を示す一部省略した図である。
【図１０】実施例２の摺動ケースの断面図である。
【図１１】実施例３の摺動ケースの断面図である。
【図１２】実施例４の摺動ケースの断面図である。
【符号の説明】
１  複合筆記具
２  軸筒
３  摺動ケース
４  ボールペン体
５  シャープペンシル体
６，７  スプリング
８，９，１９  摺動体
８ａ，９ａ  隆起部
８ｂ，９ｂ  係合突起
８ｃ，９ｃ  解除突起
８ｄ  連接部
１０  係止部
１１  摺動溝
１２  凸部
１３  切り欠き部
１６  ボールペン体
Ｌ  摺動溝の横幅
Ｍ  摺動体の横幅
Ｎ  凸部の内幅
【図１】
0003669684.tif 000002
【図２】
0003669684.tif 000003
【図３】
0003669684.tif 000004
【図４】
0003669684.tif 000005
【図５】
0003669684.tif 000006
【図６】
0003669684.tif 000007
【図７】
0003669684.tif 000008
【図８】
0003669684.tif 000009
【図９】
0003669684.tif 000010
【図１０】
0003669684.tif 000011
【図１１】
0003669684.tif 000012
【図１２】
0003669684.tif 000013